(57)【要約】【課題】広告自体がユーザの積極的な視聴対象となるコンテンツ提供方法およびそのシステムを提供することを目的とする。【解決手段】ＡＤクリップコンテンツサーバ２００は、ユーザＰＣ１００に対してコンテンツ（コンテンツの途中に広告を含むもの）を配信する（１）。ユーザＰＣ１００は、そのコンテンツを表示するとともに、その広告映像の表示中にユーザによる広告のクリップを受け付ける（２）。ユーザＰＣ１００は、コンテンツの終了後にＡＤクリップデータを送信する（３）。ＡＤクリップコンテンツサーバ２００は、そのＡＤクリップデータに基づき、クリップスコア・コンテンツ料金の演算を行い（４）、その結果をユーザＰＣ１００に対して送信する（５）。【選択図】　図５
2004086696.tif 000002
【特許請求の範囲】
【請求項１】
コンピュータを利用して、コンテンツおよび広告の提供を行うとともに、その広告の視聴結果に応じたインセンティブを供与するコンテンツ提供方法であって、
前記コンテンツ提供方法は、
クライアント側において前記コンテンツを表示し、
前記コンテンツの間に表示される広告に対応づけて前記クライアント側によるその広告の視聴確認アクションを受け付け、
受け付けた前記視聴確認アクションの結果を取得し、
取得した前記視聴確認アクションの結果に基づいてインセンティブ処理を行うこと、
を含むことを特徴とするコンテンツ提供方法。
【請求項２】
コンピュータを利用して、コンテンツおよび広告の提供を行うとともに、その広告の視聴結果に応じたインセンティブを供与するコンテンツ提供方法であって、
前記コンテンツ提供方法は、
クライアント側において前記コンテンツを表示し、
前記コンテンツの間に表示される広告に対応づけて前記クライアント側によるその広告の視聴確認アクションを受け付け、
受け付けた前記視聴確認アクションの結果を取得し、
取得した前記視聴確認アクションの結果とインセンティブの内容とを対応づけて保持し、
所定のタイミングでインセンティブ処理を行うこと、
を含むことを特徴とするコンテンツ提供方法。
【請求項３】
請求項１または２のコンテンツ提供方法において、
前記視聴確認アクションの受け付けは、
前記広告の特定カットに限定される場合を含むこと、
を特徴とするコンテンツ提供方法。
【請求項４】
請求項１〜３のいずれかのコンテンツ提供方法において、
前記視聴確認アクションは、
前記広告の表示中におけるボタン操作に関する動作を含むこと、
を特徴とするコンテンツ提供方法。
【請求項５】
請求項１〜４のいずれかのコンテンツ提供システムにおいて、
前記インセンティブは、少なくとも、前記視聴確認アクションの回数、または、前記視聴確認アクションの対象となった広告の種類、のいずれかに基づいて決定されること、
を特徴とするコンテンツ提供方法。
【請求項６】
請求項１〜５のいずれかのコンテンツ提供システムにおいて、
前記インセンティブは、あらかじめ設定された視聴確認アクションの対象となる広告の組み合わせルールに照らし合わせて決定されること、
を特徴とするコンテンツ提供方法。
【請求項７】
請求項１〜６のいずれかのコンテンツ提供方法において、
クライアントに提供する前記インセンティブの内容は、前記コンテンツの視聴料金の軽減に関連するものを含むこと、
を特徴とするコンテンツ提供方法。
【請求項８】
請求項１〜７のいずれかのコンテンツ提供方法において、
クライアントに提供する前記インセンティブの内容は、前記コンテンツの視聴許可に関するものを含むこと、
を特徴とするコンテンツ提供方法。
【請求項９】
請求項１〜８のいずれかのコンテンツ提供方法において、さらに、
受け付けた前記視聴確認アクションの履歴を前記クライアント側に提供すること、
を含むことを特徴とするコンテンツ提供方法。
【請求項１０】
コンピュータを利用して、コンテンツおよび広告の提供を行うとともに、その広告の視聴結果に応じたインセンティブを供与するコンテンツ提供装置であって、
前記コンテンツ提供装置は、
前記コンテンツを送信するコンテンツ提供手段、
前記コンテンツの間に表示される広告に対応づけられたその広告の視聴確認アクションの結果を取得する視聴確認アクション結果取得手段、
取得した前記視聴確認アクションの結果に基づいてインセンティブ処理を行うインセンティブ処理手段、
を備えたことを特徴とするコンテンツ提供装置。
【請求項１１】
コンピュータを、コンテンツおよび広告の提供を行うとともに、その広告の視聴結果に応じたインセンティブを供与するコンテンツ提供装置として機能させるプログラム、またはそのプログラムを記録した記録媒体であって、
前記プログラムは、前記コンピュータを以下の、
前記コンテンツを送信するコンテンツ提供手段、
前記コンテンツの間に表示される広告に対応づけられたその広告の視聴確認アクションの結果を取得する視聴確認アクション結果取得手段、
取得した前記視聴確認アクションの結果に基づいてインセンティブ処理を行うインセンティブ処理手段、
を備えたコンテンツ提供装置として機能させるためのプログラム、またはそのプログラムを記録した記録媒体。
【請求項１２】
コンピュータを利用して、コンテンツおよび広告の提供を受けてそれらを表示するコンテンツ表示装置であって、
前記コンテンツ表示装置は、
前記コンテンツを受信して表示するコンテンツ表示手段、
前記コンテンツの間に表示される広告に対応づけてその広告の視聴確認アクションを受け付ける視聴確認アクション受付手段、
受け付けた前記視聴確認アクションの結果を送信する視聴確認アクション結果送信手段、
を備えたことを特徴とするコンテンツ表示装置。
【請求項１３】
コンピュータを、コンテンツおよび広告の提供を受けてそれらを表示するコンテンツ表示装置として機能させるプログラム、またはそのプログラムを記録した記録媒体であって、
前記プログラムは、前記コンピュータを以下の、
前記コンテンツを受信して表示するコンテンツ表示手段、
前記コンテンツの間に表示される広告に対応づけてその広告の視聴確認アクションを受け付ける視聴確認アクション受付手段、
受け付けた前記視聴確認アクションの結果を送信する視聴確認アクション結果送信手段、
を備えたコンテンツ表示装置として機能させるためのプログラム、またはそのプログラムを記録した記録媒体。
【請求項１４】
コンピュータを利用することにより、
コンテンツの間に表示される広告の視聴確認アクションを受け付ける視聴確認アクション受付手段、
を備えたことを特徴とする視聴確認アクション受付装置。
【請求項１５】
コンテンツおよびそのコンテンツの間に表示される広告を記録したデータであって、
コンテンツを記録するコンテンツ記録領域、
前記コンテンツの間に表示する広告を記録する広告記録領域、
前記広告記録領域に対応づけて、その広告の視聴確認アクションを受け付ける情報を記録する視聴確認アクション受付情報記録領域、
を備えたことを特徴とするコンテンツデータ。
【請求項１６】
広告の視聴確認アクションの結果を記録したデータであって、
広告対象を記録する広告対象記録領域、
前記広告対象に対応づけて、その広告の視聴確認アクションの結果に関する情報を記録する視聴確認アクション結果記録領域、
を備えたことを特徴とする視聴確認アクション結果データ。
【発明の詳細な説明】
【０００１】
【発明の技術分野】
この発明は、コンテンツ提供方法およびそのシステムに関し、特に、広告の視聴結果に応じたインセンティブを供与することに関する。
【０００２】
【従来の技術】
現在、地上波放送や、デジタル放送、ブロードバンド放送等を利用したコンテンツ（番組）の提供がなされている。また、コンテンツについては、スポンサー企業の商品等の”広告（コマーシャル、ＣＭ）”が挿入されるのが一般的である。
【０００３】
スポンサー企業にとっては、そのコンテンツに広告を出稿する意義を明確にする必要がある。そのため、その広告の広告効果を高める、すなわち、広告が視聴者に効果的に認識されるようにすることを目的として様々な試みが検討されている。
【０００４】
インターネットを用いた広告情報提供システムにおけるそのような試みの一つとして、例えば、ユーザによる広告情報の閲覧によって各広告主のポイントをユーザ側に移転させ、ユーザはそのポイントによって商品購入の割引きの利益を受けることができる一方で、広告主側ではそのポイントの変動によって広告主同士の競争原理を導入させて広告の質的向上を実現させる技術がある（例えば、特許文献１参照）。
【０００５】
【特許文献１】
特開２００１−２８３０７８号公報（８頁、第５図）
【発明が解決しようとする課題】
しかしながら、従来の技術においては、コンテンツに含まれる広告は単に物理的に挿入されているのが一般的であるから、積極的な視聴の対象とならない可能性があるという問題がある。その結果、企業側の広告出稿意欲が高まらないということにもつながる。
【０００６】
この発明は、上記のような課題に鑑みて、広告自体がユーザの積極的な視聴対象となるコンテンツ提供方法およびそのシステムを提供することを目的とする。
【０００７】
【課題を解決するための手段及び発明の効果】
１）本発明のコンテンツ提供方法は、
コンピュータを利用して、コンテンツおよび広告の提供を行うとともに、その広告の視聴結果に応じたインセンティブを供与するコンテンツ提供方法であって、
クライアント側において前記コンテンツを表示し、
前記コンテンツの間に表示される広告に対応づけて前記クライアント側によるその広告の視聴確認アクションを受け付け、
受け付けた前記視聴確認アクションの結果を取得し、
取得した前記視聴確認アクションの結果に基づいてインセンティブ処理を行うこと、
を含むことを特徴としている。
【０００８】
これらの特徴により、前記クライアント側では、前記広告を視聴することによって前記インセンティブを受けることができる。したがって、前記クライアント側が前記広告を積極的に視聴することが期待でき、結果的に、前記広告がより多くのクライアントによって視聴されることによって広告効果が高まることにつながる。
【０００９】
２）本発明のコンテンツ提供方法は、
クライアント側において前記コンテンツを表示し、
前記コンテンツの間に表示される広告に対応づけて前記クライアント側によるその広告の視聴確認アクションを受け付け、
受け付けた前記視聴確認アクションの結果を取得し、
取得した前記視聴確認アクションの結果とインセンティブの内容とを対応づけて保持し、
所定のタイミングでインセンティブ処理を行うこと、
を含むことを特徴としている。
【００１０】
これらの特徴により、前記クライアント側では、前記広告を視聴することによって前記所定のタイミングで前記インセンティブを受けることができる。
【００１１】
３）本発明のコンテンツ提供方法において、
前記視聴確認アクションの受け付けは、
前記広告の特定カットに限定される場合を含むこと、
を特徴としている。
【００１２】
この特徴により、前記クライアント側では、前記インセンティブを享受する目的で、前記特定カットに限定された時間に視聴確認アクションを行えるように広告に意識を集中することが期待される。したがって、前記広告の広告効果を一層高めることができる。
【００１３】
４）本発明のコンテンツ提供方法において、
前記視聴確認アクションは、
前記広告の表示中におけるボタン操作に関する動作を含むこと、
を特徴としている。
【００１４】
この特徴により、前記クライアント側では、前記ボタン操作に関する動作という簡易かつ短時間に行うことができる動作によって、前記視聴確認アクションを完了することができる。
【００１５】
５）本発明のコンテンツ提供方法において、
前記インセンティブは、少なくとも、前記視聴確認アクションの回数、または、前記視聴確認アクションの対象となった広告の種類、のいずれかに基づいて決定されること、
を特徴としている。
【００１６】
この特徴により、本発明は、前記視聴確認アクションの回数のパターン、または、前記視聴確認アクションの対象となった広告の種類に応じて前記インセンティブの程度（レベル）を変化させることができる。
【００１７】
６）本発明のコンテンツ提供方法において、
前記インセンティブは、あらかじめ設定された視聴確認アクションの対象となる広告の組み合わせルールに照らし合わせて決定されること、
を特徴としている。
【００１８】
この特徴により、本発明は、前記広告の組み合わせルールに応じて、前記インセンティブの程度を変化させることができる。
【００１９】
７）本発明のコンテンツ提供方法において、
クライアントに提供する前記インセンティブの内容は、前記コンテンツの視聴料金の軽減に関連するものを含むこと、
を特徴としている。
【００２０】
この特徴により、前記クライアント側は、前記広告の視聴結果に基づくインセンティブとして、前記コンテンツの視聴料金についての便益を享受することができる。
【００２１】
８）本発明のコンテンツ提供方法において、
クライアントに提供する前記インセンティブの内容は、前記コンテンツの視聴許可に関するものを含むこと、
を特徴としている。
【００２２】
この特徴により、前記クライアント側は、前記広告の視聴結果に基づくインセンティブとして、例えば、前記コンテンツの続きを視聴することについての便益を得ることができる。
【００２３】
９）本発明のコンテンツ提供方法は、さらに、
受け付けた前記視聴確認アクションの履歴を前記クライアント側に提供すること、
を含むことを特徴としている。
【００２４】
この特徴により、前記クライアント側は、前記視聴確認アクションの履歴を参照することにより、その履歴に照らした前記インセンティブの享受の可能性を判断することができる。
【００２５】
以下、用語の定義について説明する。
【００２６】
この発明において、
「コンテンツ」とは、映像情報サービスの内容一般を含む概念である。例えば、テレビジョン（ＴＶ）放送、Ｗｏｒｌｄ　Ｗｉｄｅ　Ｗｅｂ（ＷＷＷ）等によって配信される番組全般（映画、ショートムービー、コンサート映像、教育番組等を含む）等がこの概念に含まれる。
【００２７】
「コンテンツの間に表示される広告」とは、コンテンツの間に表示される（放送・配信される）広告・宣伝内容一般を含む概念である。例えば、コンテンツの途中で表示される広告映像のほか、コンテンツ中に広告部分が専有する場合や、タイアップＣＭ（ｃｏｍｍｅｒｃｉａｌ　ｍｅｓｓａｇｅ）、コンテンツ中に含まれる劇中ＣＭ等がこの概念に含まれる。また、一つのコンテンツの間で流される広告だけでなく、あるコンテンツと別のコンテンツとの間に放送（配信）される広告もこの概念に含まれる。
【００２８】
「視聴確認アクション」とは、ある対象についての視聴を認識したという事実を記録すること、または、その記録に関係する機器（または操作機構）の動作処理を含む概念である。この記録の手法としては、コンピュータ（またはコンピュータシステム）を利用する場合のほか、機械的または磁気的または電子的または光学的な方法による記録も含まれる。実施形態では、所定の機器のボタンを押すことによって開始される「ＡＤクリップ」の動作処理（図６等参照）がこの概念に含まれる。なお、視聴を認識した事実の記録（またはその動作・処理）を、実施形態では例示として「クリップ」と表現するが、この表現方法に限定されず、その他”チェック（ＣＨＥＣＫ）”、”ピックアップ（Ｐｉｃｋ　Ｕｐ）”等によって表現してもよい。
【００２９】
なお、「機器（または操作機構）の動作」とは、操作機構の動作一般を含む概念である。例えば、ボタン、またはレバー、またはスイッチ等の操作機構を、押下げ、または回転、または引き抜き、またはスライドさせる等のほか、操作機構に接触すること等の動作がこの概念に含まれる。
【００３０】
「インセンティブ」とは、広告の視聴結果に応じて供与する報酬、謝礼一般を含む概念である。実施形態では、その広告を含んだコンテンツの視聴料金を割引（軽減）すること、または、コンテンツの続きを提供することがこの概念に含まれる。
【００３１】
【発明の実施の形態】
目次
１．システム構成
２．ハードウェア構成等
３．特許請求の範囲に記載した用語と実施形態との対応
４．第１実施形態
５．第１実施形態の変形例
６．第２実施形態
７．第２実施形態の変形例
８．実施形態による効果
９．本発明のその他の実施形態
−−−−−−−−−−−−−−−−−−−−
−−１．システム概略−−
本発明の実施形態を図面に基づいて説明する。本発明に係る「コンテンツ提供方法」を実行するＡＤ（アド）クリップコンテンツシステム（ＡＤ＝Ａｄｖｅｒｔｉｓｅｍｅｎｔの略）は、図１に示すように、コンテンツ提供装置としてのＡＤクリップコンテンツサーバ２００と、コンテンツ表示装置としてのユーザパーソナルコンピュータ（ユーザＰＣ）１００とがインターネット３００を介して接続された構成となっている。ＡＤクリップコンテンツサーバ２００は、コンテンツの提供等を行うものであり、一方のユーザＰＣ１００は、そのコンテンツの受信および表示等を行うものである。
【００３２】
ＡＤクリップコンテンツサーバ２００は、コンテンツを記録するコンテンツデータベース（コンテンツＤＢ）４２、広告を記録する広告ＤＢ４４、ＡＤクリップＤＢ４８、ユーザＤＢ４６を備えている。ＡＤクリップＤＢ４８は、後述するＡＤクリップコンテンツサービスの結果等を記録する。ユーザＤＢ４６は、本システムのサービスを利用する各ユーザのプロファイル（ユーザの特性一般を表すもの、例えば、氏名、年齢、性別、住所、家族構成、趣味、職業等）を記録するものである。このユーザＤＢ４６の情報は、例えば本システムを利用する前提としてのユーザ登録等を介して取得すればよい。
【００３３】
以下に例示する実施形態では、コンテンツの送受信をＡＤクリップコンテンツサーバ２００とユーザＰＣ１００との間で行うこととしているが、これに限られるものではない。
【００３４】
その他の実施形態として、図１に示すように、コンテンツを提供するものとして、放送局センタ２０１またはその放送局センタ２０１からのコンテンツ情報を中継する衛星２０２を利用してもよい。一方、コンテンツを受信して表示するものとして、ユーザＴＶ１０１を利用してもよい。この場合、ユーザＴＶ１０１からコンテンツ提供側への情報の送信は、インターネット３００を介してＡＤクリップコンテンツサーバ２００に対して行うようにすればよい。また、データ放送の場合には、放送局センタ２０１にＡＤクリップコンテンツサーバ２００と同様の機能を備えるようにしておき、放送局センタ２０１が、ユーザからの情報（後述するＡＤクリップデータ等）を直接受信できるようにしてもよい。
【００３５】
以上のように、システム構成については、様々な形態を採用することができるが、上記のシステム構成、装置構成、データベース構築法、データベース記録内容等は例示であって、当業者に周知な手段によって変形可能である。
【００３６】
−−２．ハードウェア構成等−−
図２は、ＡＤクリップコンテンツサーバ２００およびユーザＰＣ１００の機能ブロック図を示す。ＡＤクリップコンテンツサーバ２００は、コンテンツ提供手段５０、視聴確認アクション結果取得手段５４、インセンティブ処理手段５６を備えている。ユーザＰＣ１００は、コンテンツ表示手段６０、視聴確認アクション受付手段６２、視聴確認アクション結果送信手段６４を備えている。
【００３７】
コンテンツ提供手段５０は、コンテンツをユーザＰＣ１００に送信し、コンテンツ表示手段６０はそのコンテンツを表示する。視聴確認アクション受付手段６２は、その広告表示に対応する視聴確認アクションを受け付ける。視聴確認アクション結果送信手段６４は、その視聴確認アクションの結果をＡＤクリップコンテンツサーバ２００に送信する。視聴確認アクション結果取得手段５４はその結果を取得し、インセンティブ処理手段５６は、その結果に基づいてユーザに対するインセンティブの内容の決定とインセンティブ処理とを行う。
【００３８】
図３は、図２に示すユーザＰＣ１００をＣＰＵを用いて実現したハードウェア構成の例を示す。ユーザＰＣ１００は、ＣＰＵ１０、メモリ１１、ハードディスク１２、通信回路１３、ディスプレイ・スピーカ１４、キーボード・マウス１５、ＣＤ−ＲＯＭドライブ１６を備えている。
【００３９】
ＣＰＵ１０は、ユーザＰＣ１００全体を制御する。ハードディスク１２は、ユーザＰＣ１００を制御するためのプログラムを記録する。メモリ１１は、ＣＰＵ１０のワーク領域等を提供する。ディスプレイ・スピーカ１４は、ユーザに対して音声、文字、映像（静止画、動画等）を出力する。ユーザＰＣ１００は、通信回路１３によってインターネット３００と接続される。
【００４０】
図４は、図２に示すＡＤクリップコンテンツサーバ２００をＣＰＵを用いて実現したハードウェア構成の例を示す。ＡＤクリップコンテンツサーバ２００は、ＣＰＵ２０、メモリ２１、ハードディスク２６、通信回路２３、ディスプレイ・スピーカ２４、キーボード・マウス２５、ＣＤ−ＲＯＭドライブ２２を備えている。各ハードウェアの機能は、図３に示すユーザＰＣ１００における対応するハードウェアの機能と同様である。ハードディスク２６は、コンテンツＤＢ４２、広告ＤＢ４４、ユーザＤＢ４６、ＡＤクリップＤＢ４８を備えている。
【００４１】
ユーザＰＣ１００およびＡＤクリップコンテンツサーバ２００のオペレーティングシステム（ＯＳ）は、例としてマイクロソフト社のＷｉｎｄｏｗｓ（登録商標）ＸＰ等を利用する。
【００４２】
−−３．特許請求の範囲に記載した用語と実施形態との対応−−
特許請求の範囲に記載した用語と実施形態との対応は以下の通りである。
【００４３】
「コンテンツ提供方法」は、以下に説明する第１実施形態および第２実施形態のＡＤクリップコンテンツシステムの各装置の処理内容に対応する。「コンテンツ」は、ＡＤクリップコンテンツサーバ２００からユーザＰＣ１００に配信されるコンテンツに対応する。「コンテンツの間に表示される広告」は、図７に示す広告（ＡＤ）に対応する。
【００４４】
「クライアント」は、ユーザＰＣ１００に対応する。「視聴確認アクション」および「ボタン操作に関する動作」は、図８ステップＳ８５７または図１２ステップＳ２５７においてユーザが行うＡＤクリップの動作、またはユーザＰＣ１００のＣＰＵ１０が行うその動作の入力処理に対応する。「視聴確認アクションの結果」は、図８ステップＳ８６３のＡＤクリップデータのデータ内容に対応する。「インセンティブ」は、第１実施形態におけるコンテンツ料金の割引（図８ステップＳ８０５参照）、または、第２実施形態におけるコンテンツの続きの視聴許可（図１２ステップＳ２０５参照）に対応する。
【００４５】
「視聴確認アクションの回数」は、ユーザＰＣ１００のユーザによってＡＤクリップされた回数に対応する。「視聴確認アクションの対象となった広告の種類」は、ユーザＰＣ１００のユーザによってＡＤクリップされた広告の内容（例えば、図９Ｂの画面例における”Ｙ食品”等の広告提供企業名、または、”ＢＢスナック”等の商品名）に対応する。
【００４６】
「視聴確認アクションの対象となる広告の組み合わせルール」は、トランプのポーカーゲームの役に類似する”広告組み合わせ”の定義付けに対応する（５−２．の項、図１１参照）。
【００４７】
「コンテンツの視聴料金」は、図８ステップＳ８０５の処理において演算されるコンテンツ料金に対応する。「コンテンツの視聴許可」は、図１２ステップＳ２０５においてＡＤクリップコンテンツサーバ２００のＣＰＵ２０が行う、コンテンツの続きを送信する処理に対応する。
【００４８】
「視聴確認アクションの履歴」は、図９Ａの画面上部に示すＡＤクリップ数に関する情報に対応する。
【００４９】
「コンテンツ提供装置」は、ＡＤクリップコンテンツサーバ２００に対応すする。「コンテンツ提供手段」は、図８ステップＳ８０１においてＡＤクリップコンテンツサーバ２００のＣＰＵ２０が行う処理に対応し、「視聴確認アクション結果取得手段」は、ＣＰＵ２０が、図８ステップＳ８６３においてユーザＰＣ１００から送信されるＡＤクリップデータを受信する処理に対応する。「インセンティブ処理手段」は、図８ステップＳ８０３、Ｓ８０５、Ｓ８０７においてＣＰＵ２０が行う処理、または、図１２ステップＳ２０３、Ｓ２０５においてＣＰＵ２０が行う処理に対応する。
【００５０】
「コンテンツ表示装置」は、ユーザＰＣ１００に対応する。「コンテンツ表示手段」は、図８ステップＳ８５３または図１２ステップＳ２５３においてユーザＰＣ１００のＣＰＵ１０が行う処理に対応する。「視聴確認アクション受付手段」は、図８ステップＳ８５７または図１２ステップＳ２５７においてユーザが行うＡＤクリップの動作、またはユーザＰＣ１００のＣＰＵ１０が行うその動作の入力処理に対応する。「視聴確認アクション結果送信手段」は、図８ステップＳ８６３または図１２ステップＳ２５９においてＣＰＵ１０が行う処理に対応する。
【００５１】
なお、上述した特許請求の範囲の記載と実施形態との対応の説明において、「ＣＰＵが行う処理」とは、ＣＰＵが行う処理自体、または、その処理をＣＰＵに行わせるためのプログラム（アルゴリズム）を含む。
【００５２】
−−４．第１実施形態−−
本発明の第１実施形態として、ＡＤクリップコンテンツサーバ２００とユーザＰＣ１００との間で行われるＡＤクリップコンテンツサービス処理を説明する。以下、図５に基づいて第１実施形態によるＡＤクリップコンテンツサービス処理の概要を説明し、次に、第１実施形態の内容を説明する。
【００５３】
４−１．第１実施形態の概要
図５に示すように、ＡＤクリップコンテンツサーバ２００は、ユーザＰＣ１００に対してコンテンツ（コンテンツの途中に広告を含むもの）を配信する（１）。ユーザＰＣ１００は、そのコンテンツを表示するとともに、その広告映像の表示中にユーザによる広告のクリップ（以下、「ＡＤ−ＣＬＩＰ」または「ＡＤクリップ」と呼ぶ）を受け付ける（２）。クリップとは、広告映像を視聴したユーザが、その視聴を認識したという情報を記録するためのものである。
【００５４】
ユーザＰＣ１００は、コンテンツの終了後にＡＤクリップデータを送信する（３）。ＡＤクリップコンテンツサーバ２００は、そのＡＤクリップデータに基づき、クリップスコア・コンテンツ料金の演算を行い（４）、その結果をユーザＰＣ１００に対して送信する（５）。
【００５５】
以上のように、本システムは、コンテンツの間に表示される広告の視聴確認の結果に基づいてインセンティブ（コンテンツの視聴料金等の割引等を含む）を与えることにより、ユーザによる積極的（能動的）な広告の視聴を動機づける（誘因する）ことを一つの特徴としている。
【００５６】
４−２．ユーザによるＡＤクリップの動作例
次に、ユーザによるＡＤクリップ（図５記号２）の動作について説明する。このＡＤクリップ動作を介して、ユーザがその広告を視聴したという情報が記録されることになる。
【００５７】
図６は、ＡＤクリップの動作を例示する。図６Ａは、広告（ＣＭ）の表示中に、ユーザがマウスのボタン（割り当てられた特定のボタン）をクリックすることによってＡＤクリップが行われる例を示す。マウスによるクリップは、使用する機器がパーソナルコンピュータである場合に好適である。また、キーボードによるＡＤクリップを行うようにしてもよい。以下に説明する実施形態では、例として、マウスによるＡＤクリップを行うこととする。
【００５８】
図６Ｂは、リモートコントローラ（リモコン）のボタン（割り当てられた特定のボタン）によってクリップが行われる例を示す。リモコンによるクリップは、使用する機器がリモコン付きテレビである場合に好適である。
【００５９】
図６Ｃは、ＡＤクリップコンテンツシステムの専用デバイス（特許請求の範囲に記載する「視聴確認アクション受付装置」に対応）によってクリップが行われる例を示す。図６Ｂのリモコンや、図６Ｃの専用デバイスの場合、例えばディスプレイからユーザが一定距離以上離れている場合であっても、ＡＤクリップの処理を容易に行うことができる。
【００６０】
なお、マウス、キーボード、リモコン、専用デバイス等をＡＤクリップに利用する場合には、特許請求の範囲に記載する「視聴確認アクション受付手段」を、それら専用デバイス等に接続されるコンピュータ側に備えるようにしてもよいし、あるいは、それら専用デバイス等に内蔵（例えばＣＰＵによる処理）させるようにしてもよい。
【００６１】
以上のように、ＡＤクリップ動作については、様々な形態を採用することが
できるが、上記の各機器は例示であって、当業者にとって周知な手段によって変形可能である。
【００６２】
なお、「ボタン操作に関する動作」とは、ボタン操作を利用して簡易に行える動作一般を含む概念である。例えば、ＡＤクリップ動作として、実施形態で例示するようにボタンのクリック（ボタン押下）に限らず、ボタンの回転、またはボタンの引き抜き、またはボタンへの接触等を採用してもよい。
【００６３】
４−３．コンテンツデータ
次に、ＡＤクリップコンテンツサーバ２００からユーザＰＣ１００に配信されるコンテンツ（図５記号１）のデータ構造の概略について説明する。
【００６４】
図７は、コンテンツデータの概念図である。図７Ａに示すように、コンテンツデータは、コンテンツデータの記録領域（特許請求の範囲に記載する「コンテンツ記録領域」に対応）と、広告データ（ＡＤデータ）の記録領域（特許請求の範囲に記載する「広告記録領域」に対応）とを含んだ構造となっている。さらに、広告データには、上述したＡＤクリップを受け付けるための情報（特許請求の範囲に記載する「視聴確認アクション受付情報記録領域」に対応）が対応づけられている。このＡＤクリップを受け付けるための情報は、例えばコンテンツデータのヘッダ情報として記録すればよい。具体的には、図７Ａの場合には、コンテンツデータは、ＣＰＵが、広告データの再生処理の際にＡＤクリップが行われたか否かの判断処理も併せて行うデータとされている。図７Ｂの内容については後述する。
【００６５】
なお、コンテンツデータとして、例えばＭＰＥＧ等の規格に基づいた動画データを採用すればよい。また、広告データを含むコンテンツデータの制作は、例えば、コンテンツＤＢ４２の記録内容であるコンテンツデータと、広告ＤＢ４４の記録内容である広告データとを合成する（広告データの埋め込み処理等を含む）ことによって行えばよい。
【００６６】
４−４．ＡＤクリップコンテンツサービスの処理内容
第１実施形態によるＡＤクリップコンテンツサービスの処理内容を、図８のフローチャートに基づいて説明する。以下の説明では、ＡＤクリップコンテンツサーバ２００が、ある一つの番組のコンテンツ（例えば、映画コンテンツ、コンサートコンテンツ等）をユーザＰＣ１００に配信する場合を例示する。
【００６７】
ＡＤクリップコンテンツサーバ２００のＣＰＵ２０は、図８のフローチャートにしたがってユーザＰＣ１００に対してコンテンツの配信処理等を行う。一方のユーザＰＣ１００のＣＰＵ１０は、図８のフローチャートにしたがってコンテンツの表示、ＡＤクリップ処理等を行う。
【００６８】
図８に示すように、ユーザＰＣ１００のＣＰＵ１０は、ＡＤクリップコンテンツサーバ２００に対してコンテンツの配信を要求する（ステップＳ８５１）。ＡＤクリップコンテンツサーバ２００のＣＰＵ２０は、その要求に応じてコンテンツデータ（図７参照）を配信する（ステップＳ８０１）。ＣＰＵ１０は、配信されたコンテンツデータに基づき、コンテンツをディスプレイ・スピーカ１４によって再生表示する（ステップＳ８５３）。
【００６９】
ＣＰＵ１０は、コンテンツの合間において”広告”が表示されたか否かを判断し（ステップＳ８５５）、広告の表示があった場合には、その表示中にＡＤクリップが行われたか否かを判断する（ステップＳ８５７）。
【００７０】
ここで、本サービスの処理が行われている間のユーザＰＣ１００のディスプレイ１４の表示例を図９に示す。図９Ａは、図８ステップＳ８５５におけるディスプレイ表示例である。図９Ａでは、”ドリンクＲ”のＣＭの表示に対応づけて、画面下部にクリップ動作を促す表示（視聴確認アクション受付表示）がなされる。また、画面上部には、そのコンテンツにおけるユーザのＡＤクリップの履歴（そのユーザが何個クリップしたか、残り何個クリップする必要があるか等）が表示される。これらのＡＤクリップに関する表示（図９Ａの画面上部および画面下部の表示エリア）は、広告の表示に対応づけて表示される。なお、履歴情報は、クリップとは別の簡単な操作（例えば所定のボタンを押す等）に基づいて表示されるようにしてもよい。また、これらのＡＤクリップに関する表示は、省略することもできる。
【００７１】
次に、ＡＤクリップが行われなかったと判断した場合には、ＣＰＵ１０は、コンテンツが終了したか否かを判断する（ステップＳ８６１）。コンテンツが終了していない場合には、ＣＰＵ１０は、再びステップＳ８５３からの処理を繰り返す。
【００７２】
一方、ステップＳ８５７において、ＡＤクリップが行われたと判断した場合には、ＣＰＵ１０は、ＡＤクリップ数を加算してＡＤクリップデータ（ＡＤクリップの履歴情報）を更新する（ステップＳ８５９）。
【００７３】
以上のような処理を広告が表示される毎に繰り返した後、ステップＳ８６１においてコンテンツが終了したと判断した場合には、ＣＰＵ１０は、ＡＤクリップデータをＡＤクリップコンテンツサーバ２００に送信する（ステップＳ８６３）。
【００７４】
ＡＤクリップコンテンツサーバ２００のＣＰＵ２０は、そのＡＤクリップデータを受信して、そのＡＤクリップデータと、そのデータを送信したユーザＰＣ１００とを対応づけてメモリ１１等に記録する（クライアント毎に、取得した前記視聴確認アクションの結果とインセンティブの内容とを対応づけて保持する）（例えば、図１０Ｂ参照）。
【００７５】
次に、ＣＰＵ２０は、記録したＡＤクリップデータに基づいてクリップスコアの演算（ステップＳ８０３）と、コンテンツ料金の演算（ステップＳ８０５）とを行う。ＣＰＵ２０は、それらの演算の結果をユーザＰＣ１００に送信して処理を終了する（ステップＳ８０７）。一方のユーザＰＣ１００のＣＰＵ１０は、クリップスコアおよびコンテンツ料金の結果を表示して処理を終了する（ステップＳ８６５）。
【００７６】
図９Ｂ、Ｃは、図８ステップＳ８６５においてディスプレイ１４に表示される画面例を示す。図９Ｂは、ＡＤクリップの結果を示す画面例である。ＡＤクリップ結果の画面には、主に、”視聴したコンテンツ”と”ＡＤクリップ結果”とが表示される。図９Ｃは、クリップスコアおよびコンテンツ料金の結果を示す画面例である。
【００７７】
本実施形態では、クリップスコアは、ＡＤクリップの数に基づいて演算されている。具体的には、ユーザが、視聴したコンテンツの間に表示された広告を４つクリップした場合には、クリップスコアを”４ポイント”とする。そして、本システムでは、そのクリップスコアに基づいて、ユーザにインセンティブを与えることとしている。本実施形態では、例示として、クリップスコアに応じてコンテンツの視聴料金を割引（コンテンツ料金の軽減）する。具体的には、一つのコンテンツについて、クリップスコアが４ポイント以上であれば、コンテンツの視聴料金を１００％割引する。図９Ｃに示す例では、クリップスコアが４ポイントであるから、コンテンツ料金は”０円”とされる。
【００７８】
以上のように、本実施形態によれば、広告のクリップ（視聴確認）に応じてコンテンツ視聴料金割引のインセンティブが与えられる。したがって、広告がユーザによる積極的な視聴対象となることが期待され、結果として広告効果が高まることが期待される。
【００７９】
−−５．第１実施形態の変形例−−
５−１．ＡＤクリップデータ
以上、第１実施形態について、ＡＤクリップ結果に基づいてユーザにインセンティブを供与する処理を説明した。この処理の結果、ＡＤクリップコンテンツサーバ２００は、ＡＤクリップデータを取得することができるのであるから、それらの情報をマーケティング情報として利用することもできる。
【００８０】
図１０は、ＡＤクリップデータを記録したＡＤクリップＤＢ４８の構造の例を示す。
【００８１】
図１０Ａは、図８ステップＳ８６３の処理によってユーザＰＣ１００から送信されたＡＤクリップデータを、各広告対象である商品等（特許請求の範囲に記載する「広告対象」に対応）を基準にソート処理したデータベース（特許請求の範囲に記載する「視聴確認アクション結果データ」に対応）の例である。具体的には、このデータベースは、広告を出稿した企業および商品名（例えば、”Ｙ食品・ＢＢスナック”）の情報を記録する領域（「広告対象記録領域」）と、その広告を視聴したユーザプロファイル（例えば、ユーザ名、年齢、性別等）と視聴したコンテンツ等の情報とを記録する領域（「視聴確認アクション結果記録領域」）とを有している。したがって、このデータベースによれば、ある広告が対象としている商品等について、どのような人がどのようなコンテンツの視聴中にその広告を視聴したかという情報を得ることができる。例えば、広告を出稿した企業は、このデータベースにより、広告がどのような年齢層の視聴対象となったか等の情報を得ることができる。
【００８２】
図１０Ｂは、図８ステップＳ８６３の処理によってユーザＰＣ１００から送信されたＡＤクリップデータを、各ユーザを基準にソート処理したデータベース（特許請求の範囲に記載する「視聴確認アクション結果データ」に対応）の例である。具体的には、このデータベースは、ユーザ（クライアント）毎に、スポンサーおよび商品名の情報を記録する領域（「広告対象記録領域」）と、クリップ数等の情報を記録する領域（「視聴確認アクション結果記録領域」）とを有している。したがって、このデータベースによれば、ある人が所定期間中にどのような商品の広告を何度視聴したか（クリップしたか）という情報を得ることができる。このデータベースは、個人の消費行動、地域的な消費行動等を基準にしたマーケティング情報を得るのに好適である。
【００８３】
なお、図１０Ａ、Ｂのデータベース構造およびそのデータ内容は例示であって、当業者に周知の手段によって変形可能である。例えば、視聴日時または、時間帯、曜日、季節毎等のデータとなるように変形したり、あるいは、性別、年齢等のデータとしてソート処理したデータベースとしてもよい。その他、クリップスコアの高得点者情報等を提供するためのデータとしてもよい。
【００８４】
５−２．クリップスコア変形例
第１実施形態では、一つのコンテンツについて、クリップスコアが４ポイント以上であれば、コンテンツの視聴料金を１００％割引する例を示したが、これに限らず、次のようなクリップスコアの取り方を採用することもできる。
【００８５】
図１１は、クリップスコアの換算の変形例を示す概略図である。この変形例では、一つのコンテンツについて、ユーザが５回のＡＤクリップを行うこととする。そして、トランプのポーカーゲームに類似したルール（”広告組み合わせ”の定義付け）を採用してクリップスコアを換算する。これにより、ユーザは、インセンティブの供与を受けることに加えて、ＡＤクリップ自体をゲームとして楽しむことができる。
【００８６】
具体的には、図１１Ａでは、商品”ドリンクＲ”の広告が２回、商品”ＢＢスナック”の広告が２回、商品”新型Ｚ”の広告が１回クリップされており、この場合、ツーペアのＡＤクリップがされていると判断する。そして、インセンティブとして、コンテンツ料金を５０％割引きすることとしている。
【００８７】
同様に、図１１Ｂでは、フルハウスのＡＤクリップがされている場合を示しており、コンテンツ料金を６０％割引きすることとしている。また、図１１Ｃは、ストレートのＡＤクリップがされている場合を示しており、コンテンツ料金を７０％割引きすることとしている。
【００８８】
以上、クリップスコアの変形例を説明したが、トランプのポーカーのルールに限らず、別の独自のルールを採用してクリップスコアを決定するようにしてもよい。また、クリップする広告の数、広告の種類、広告の内容等のインセンティブ内容・レベルを決定する要因は、自由に変形することが可能である。
【００８９】
−−６．第２実施形態−−
次に、本発明の第２実施形態であるＡＤクリップコンテンツシステムを説明する。第２実施形態は、ユーザＰＣ１００側に対するインセンティブの内容が第１実施形態と相違する。その他のシステム構成、装置構成、ＡＤクリップ動作、コンテンツデータ等は、第１実施形態の場合と同様である。
【００９０】
本システムは、コンテンツの合間に表示される広告の視聴確認の結果に基づいて、コンテンツの続きの視聴を許可するというインセンティブを与えることにより、ユーザによる積極的な広告の視聴を動機づけることを一つの特徴としている。
【００９１】
第２実施形態によるＡＤクリップコンテンツサービスの処理内容を、図１２のフローチャートに基づいて説明する。以下の説明では、ＡＤクリップコンテンツサーバ２００が、ある一つの番組のコンテンツをユーザＰＣ１００に配信する場合を例示する。
【００９２】
図１２に示すように、ユーザＰＣ１００のＣＰＵ１０は、ＡＤクリップコンテンツサーバ２００に対してコンテンツの配信を要求する（ステップＳ２５１）。ＡＤクリップコンテンツサーバ２００のＣＰＵ２０は、その要求に応じてコンテンツデータ（図７参照）を配信する（ステップＳ２０１）。ＣＰＵ１０は、配信されたコンテンツデータに基づき、コンテンツをディスプレイ・スピーカ１４によって再生表示する（ステップＳ２５３）。
【００９３】
ＣＰＵ１０は、コンテンツの合間において”広告”が表示されたか否かを判断し（ステップＳ２５５）、広告の表示があった場合には、その表示中にＡＤクリップが行われたか否かを判断する（ステップＳ２５７）。
【００９４】
ここで、本サービスの処理が行われている間のユーザＰＣ１００のディスプレイ１４の表示例を図１３に示す。図１３Ａは、図１２ステップＳ２５７におけるディスプレイ表示例である。図１３Ａでは、”ドリンクＲ”のＣＭの表示に対応づけて、画面上部および下部にクリップ動作を促す表示がなされる。
【００９５】
次に、ＣＰＵ１０は、ステップＳ２５７においてＡＤクリップが行われたと判断した場合には、ＡＤクリップ情報をＡＤクリップコンテンツサーバ２００に送信する（ステップＳ２５９）。
【００９６】
ＡＤクリップコンテンツサーバ２００のＣＰＵ２０は、ＡＤクリップ情報を受信するか否かを判断し（ステップＳ２０３）、受信したと判断した場合にはコンテンツの続きを表示するためのデータをユーザＰＣ１００に送信する（ステップＳ２０５）。ユーザＰＣ１００のＣＰＵ１０は、そのデータに基づいて、コンテンツの続きをディスプレイ・スピーカ１４によって再生表示する（ステップＳ２６１）。図１３Ｂは、ステップＳ２６１においてユーザＰＣ１００のディスプレイ１４に表示される画面例（コンテンツの続き）を示す。
【００９７】
ＣＰＵ１０は、コンテンツが終了したか否かを判断し（ステップＳ２６３）、終了していないと判断した場合にはステップＳ２５３からの処理を繰り返す。一方、ＣＰＵ１０は、ステップＳ２６３においてコンテンツが終了したと判断した場合には処理を終了する。
【００９８】
なお、第２実施形態の処理は、次のように表現することもできる。
【００９９】
「取得した視聴確認アクションの結果に基づいて、クライアント側において既に表示されたコンテンツの続きを表示させること」、または、「取得した視聴確認アクションの結果に基づいて、クライアント側において追加のコンテンツを表示させること」、または、「取得した視聴確認アクションの結果に基づいて、コンテンツの継続視聴を許可するコンテンツ継続視聴許可手段」。
【０１００】
−−７．第２実施形態の変形例−−
７−１．ＡＤクリップ動作受け付け処理変形例
第２実施形態では、図１２ステップＳ２５７において、ユーザからによるＡＤクリップ動作の受け付けを継続して判断することとしたが、その他に次のようなバリエーションを採用してもよい。
【０１０１】
ＡＤクリップ動作の受け付け処理の第１のバリエーションは、ＡＤクリップ動作の受け付けを所定時間に制限する場合である。具体的には、広告表示の終了後、例えば５分の間にＡＤクリップが行わなければ、コンテンツはその時点で終了することとする。
【０１０２】
ＡＤクリップ動作の受け付け処理の第２のバリエーションは、ＡＤクリップ動作の受け付けをその広告の表示中のみに制限する場合である。具体的には、ユーザがコンテンツを継続して視聴するためには、そのコンテンツの合間に表示される広告を必ずＡＤクリップしなければならないこととし、ＡＤクリップがなければ強制的にコンテンツの表示（または配信）を終了する。
【０１０３】
７−２．コンテンツの継続視聴許可の判断変形例
第２実施形態では、広告の表示１回毎に、コンテンツの続きの視聴を許可するか否か（続きのコンテンツを配信するか否か）を判断しているが、これに限らず、コンテンツの続きを配信するか否かの判断を、所定の回数の広告表示の後に行うこととしてもよい。具体的には、例えばコンテンツが２時間の番組内容である場合に、最初の１時間のコンテンツを視聴した段階でコンテンツの継続視聴を許可するか否かを判断する。コンテンツの継続視聴の許可の判断は、例えば、最初の１時間の間に流される広告の５０％以上をＡＤクリップした場合にのみ、残りの１時間のコンテンツの継続視聴を許可することとする。
【０１０４】
７−３．ＡＤクリップデータ
その他、第２実施形態の場合においても、ＡＤクリップコンテンツサーバ２００は、５−１．の項で説明した”ＡＤクリップデータ”を取得して、それらの情報をマーケティング情報として利用することも可能である。
【０１０５】
−−８．実施形態による効果−−
以上説明した実施形態において、ユーザＰＣ１００のユーザは、広告をＡＤクリップすることによってインセンティブの供与を受けることができる。具体的には、第１実施形態では、コンテンツ視聴料金の割引のインセンティブを享受することができ、一方、第２実施形態では、コンテンツの続きを視聴することができるというインセンティブを享受することができる。
【０１０６】
つまり、本システムでは、放送される映像コンテンツを視聴しようとする際に、広告自体を見る・読むことが、インセンティブ（サービス）を受ける前提とされている。したがって、本システムでは、積極的に広告を見ることがユーザの一つの目的とされることが期待される。
【０１０７】
これにより、従来の消極的な広告が、視聴者によって積極的に「見られる広告」となる。一方、広告を出稿する企業にとっては、広告自体の価値が高まり、また、広告を出稿する意義が明快になる。
【０１０８】
さらに、ＡＤクリップコンテンツサーバ２００は、ＡＤクリップデータを取得することができるから（図８ステップＳ８６３参照、図１２ステップＳ２５９参照）、広告の視聴実体も明らかになる。また、企業が広告を出稿してコンテンツをスポンサードすることを通じて、視聴者はコンテンツ料金の軽減等のメリットを享受することもできる。
【０１０９】
ユーザＰＣ１００のユーザは、インセンティブを享受するために”ＡＤクリップ”という能動的なアクションによって広告の視聴確認を行う。したがって、ユーザは、インセンティブを享受するために特定のＡＤクリップをタイミング良く行うという一種のゲーム感覚を味合うことができる。
【０１１０】
−−９．本発明のその他の実施形態−−
９−１．ＡＤクリップ動作受け付け処理等の変形例
実施形態では、図８ステップＳ８５７および図１２ステップＳ２５７において、ＡＤクリップの動作の受け付けをユーザＰＣ１００側で処理することとしたが、これに限らず、ＡＤクリップの動作の受け付け（入力処理）をＡＤクリップコンテンツサーバ２００側で行うようにしてもよい。
【０１１１】
実施形態では、図７の説明で述べたように、コンテンツデータがＡＤクリップを受け付けるための情報を含んでいる例を示したが、これに限られるものではない。その他の実施形態として、コンテンツデータにＡＤクリップを受け付けるための情報を記録せず、ユーザＰＣ１００のＣＰＵ１０が、コンテンツデータの中の広告部分のデータを自動認識したうえで、ＡＤクリップ受付処理を行うようにしてもよい。
【０１１２】
実施形態では、図７Ａに示すように、広告データの再生処理が行われている間（例えば３０秒間）にＡＤクリップを受け付けることとしているが、これに限られるものではない。その他の実施形態として、図７Ｂの”ＣＵＴ−Ｘ”で表すように、広告の特定のシーン（特許請求の範囲に記載する「特定カット」に対応）の再生処理が行われている時間のみに限定してＡＤクリップを受け付けるようにしてもよい。特定のカットは、例えばその広告の最後の１秒間のカット、あるいは、その広告の中で最も広告効果が高い場面（クライマックシーン）を選択することができる。この場合、その特定のシーンの再生中に、画面に”Ｐｕｓｈ　ｔｏ　ＣＬＩＰ！”等の表示（またはアイコン）をいれてユーザのクリップを促すようにすればよい。
【０１１３】
これにより、広告内容に対するユーザの注意を喚起することができ、より一層広告効果が高まる。また、ユーザにとっては、ＡＤクリップの動作のゲーム性が高まり、一種のシューティングゲーム的な感覚（ＡＤシューティングゲーム）を楽しむことができる。
【０１１４】
実施形態では、図８ステップＳ８０３に示すように、クリップスコアの演算をＡＤクリップコンテンツサーバ２００のＣＰＵ２０が行うようにしているが、これに限られるものでなく、ユーザＰＣ１００のＣＰＵ１０がクリップスコアの演算を行い、その結果をＡＤクリップコンテンツサーバ２００に送信するようにしてもよい。
【０１１５】
９−２．インセンティブ変形例
実施形態では、本発明の「インセンティブ」として、コンテンツ視聴料金の割引（第１実施形態）および、コンテンツの続きを配信（第２実施形態で）を例示したが、これに限られるものではない。その他の「インセンティブ」として、ユーザに対するプレゼントの提供、ユーザに所定の利益を与えるためのポイントの供与等を行うようにしてもよい。
【０１１６】
また、ＡＤクリップコンテンツサーバ２００によるインセンティブの供与は、第１実施形態では、ユーザＰＣ１００からＡＤクリップデータを受信した後のタイミングで行うこととしたが（図８ステップＳ８６３、Ｓ８０３、Ｓ８０５、Ｓ８０７参照）、これに限られるものではない。その他のタイミングとして、例えばＡＤクリップコンテンツサーバ２００は、所定期間の経過後（例えば、月末、キャンペーン期間終了後等）、あるいは、ユーザＰＣ１００からの要求があった時点で、コンテンツ料金割引処理等のインセンティブ処理を行うようにしてもよい（所定のタイミングでインセンティブ処理を行う）。
【０１１７】
９−３．データベース構成変形例
実施形態では、ＡＤクリップコンテンツサーバ２００は、図１に示すように、コンテンツＤＢ４２、広告ＤＢ４４、ＡＤクリップＤＢ４８、ユーザＤＢ４６を備えることとしたが、これに限られるものではなく、各データベースの構築手法は当業者に周知の手段によって変形可能である。例えば、コンテンツＤＢ４２と広告ＤＢ４４とを分けておくのではなく、コンテンツデータにあらかじめ広告データを記録したデータベースとしてもよい。
【０１１８】
９−４．システム構成等の変形例
実施形態では、コンテンツの送受信を行うシステム構成として、インターネット３００等を利用したシステムを例示したが、次のようなシステムを利用してもよい。
【０１１９】
例えば、ＢＳデジタル放送、ＣＳ１１０デジタル放送、地上波デジタル放送、ＣＡＴＶ，双方向ＴＶ等のデジタル放送システム、または、ハードディスク（ＨＤ）内蔵型ＴＶやインタラクティブ機能付きＴＶによって視聴できる放送システムや、ＡＤＳＬ技術を採用したブロードバンド放送システムを利用することもできる。その他、それらのシステムを組み合わせることにより、コンテンツの配信経路と、ユーザからのデータの送信経路とが異なるシステムを採用してもよい。なお、放送システムによっては、図８ステップＳ８５１および図１２ステップＳ２５１で示すユーザ装置からのコンテンツ配信要求のステップが省略される場合もある。
【０１２０】
実施形態では、ユーザ側のデバイスとして、ユーザＰＣ１００とユーザＴＶ１０１を例示したが、これに限られるものではない。その他のデバイスとして、ＰＤＡ、携帯電話等のデータ送受信可能な装置であれば、本システムに組み込むことが可能である。
【０１２１】
９−５．プログラム実行方法等の変形例
本実施形態では、ＡＤクリップコンテンツサーバ２００のＣＰＵ２０およびユーザＰＣ１００のＣＰＵ１０の動作のためのプログラムを、それぞれハードディスク２６、１２に記憶させているが、これらのプログラムは、プログラムが記憶されたＣＤ−ＲＯＭから読み出してハードディスク等にインストールすればよい。また、それらのプログラムは、ＣＤ−ＲＯＭ以外に、ＤＶＤ−ＲＯＭ、フレキシブルディスク（ＦＤ）、ＩＣカード等のコンピュータ可読の記録媒体からインストールするようにしてもよい。さらに、通信回線を用いてプログラムをダウンロードさせることもできる。また、ＣＤ−ＲＯＭからプログラムをインストールすることにより、ＣＤ−ＲＯＭに記憶させたプログラムを間接的にコンピュータに実行させるようにするのではなく、ＣＤ−ＲＯＭに記憶させたプログラムを直接的に実行するようにしてもよい。
【０１２２】
なお、コンピュータによって、実行可能なプログラムとしては、そのままインストールするだけで直接実行可能なものはもちろん、一旦他の形態等に変換が必要なもの（例えば、データ圧縮されているものを解凍する等）、さらには、他のモジュール部分と組合して実行可能なものも含む。
【図面の簡単な説明】
【図１】ＡＤクリップコンテンツシステムの構成図である。
【図２】ＡＤクリップコンテンツサーバおよびユーザＰＣの機能ブロック図である。
【図３】ユーザＰＣのハードウェア構成図である。
【図４】ＡＤクリップコンテンツサーバのハードウェア構成図である。
【図５】ＡＤクリップコンテンツサービスの概念図である。
【図６】図６Ａ、Ｂ、Ｃは、ＡＤクリップの動作の例である。
【図７】図７Ａ、Ｂは、コンテンツデータの概念図である。
【図８】第１実施形態によるＡＤクリップコンテンツサービス提供処理のフローチャートである。
【図９】図９Ａ、Ｂ、Ｃは、第１実施形態によるＡＤクリップコンテンツサービス提供処理中のユーザＰＣのディスプレイ表示の例を示す図である。
【図１０】ＡＤクリップデータベースの構造の一例である。
【図１１】クリップスコアの換算の変形例を示す概略図である。
【図１２】第２の実施形態によるＡＤクリップコンテンツサービス提供処理のフローチャートである。
【図１３】図１３Ａ、Ｂは、第２実施形態によるＡＤクリップコンテンツサービス提供処理中のユーザＰＣのディスプレイ表示の例を示す図である。
【符号の説明】
１００・・・ユーザＰＣ
２００・・・ＡＤクリップコンテンツサーバ
２０１・・・放送局センタ
２０２・・・衛星
３００・・・インターネット
４２・・・コンテンツＤＢ
４４・・・広告ＤＢ
４６・・・ユーザＤＢ
４８・・・ＡＤクリップＤＢ
【図１】
2004086696.tif 000003
【図２】
2004086696.tif 000004
【図３】
2004086696.tif 000005
【図４】
2004086696.tif 000006
【図５】
2004086696.tif 000007
【図６】
2004086696.tif 000008
【図７】
2004086696.tif 000009
【図８】
2004086696.tif 000010
【図９】
2004086696.tif 000011
【図１０】
2004086696.tif 000012
【図１１】
2004086696.tif 000013
【図１２】
2004086696.tif 000014
【図１３】
2004086696.tif 000015